(57)【要約】      （修正有）【課題】電子機器を壁に掛けた状態で凹嵌部を閉塞するための蓋の取付け作業を容易にすることができる、蓋の取付構造を提供する。【解決手段】リアーケース２の背面板４には、下方と後方とが開放され蓋２６によって覆われる凹嵌部が設けられている。凹嵌部は、係入孔８が設けられた上壁９と、蓋２６を上壁９に沿って移動自在に支持する互いに対向した第１支持部１１および第２支持部１２を有する側壁１４，１５とを備えている。蓋２６には係入孔８に係入される突起２９が設けられ、突起２９の一方の側面には第１のカム面２９ａが形成され、他方の側面には係入孔８の端縁８ｂに係合する係合爪２９ｂが突設されている。蓋２６を矢印Ｃ方向に移動させると、係入孔８に係入した突起２９の第１のカム面９ａのカム作用により蓋２６が矢印Ｆ方向に移動し、突起２９の係合爪２９ｂが係入孔８の端縁８ｂに係合する。【選択図】図６
2008251909.tif 000002
【特許請求の範囲】
【請求項１】
壁掛用支持手段および下方と後方とが開放された凹嵌部が設けられた背面板と、この背面板を囲むように背面板の周端から一体に立設された囲い壁とからなるケースを備え、前記凹嵌部を覆う蓋の取付構造であって、
前記凹嵌部は、係入孔が設けられた上壁と、前記蓋を前記上壁に沿って移動自在に支持する互いに対向した第１支持部および第２支持部を有する側壁とを備え、前記蓋に、前記係入孔に係入される突起と前記凹嵌部の下方を閉塞する閉塞部とを設け、前記突起の一方の側面に第１のカム面を形成するとともに、前記突起の他方の側面に前記係入孔の端縁に係合する係合爪を設け、前記閉塞部にねじ挿通孔を設け、前記囲い壁の底部に前記ねじ挿通孔に挿通されたねじが螺合するねじ部を設けたことを特徴とする蓋の取付構造。
【請求項２】
前記囲い壁の前記ねじ部が設けられた部位に嵌合凹部を設け、前記閉塞部の前記ねじ挿通孔が設けられた部位に前記嵌合凹部に嵌合する膨出部を設け、この膨出部の一方の側面に第２のカム面を設けたことを特徴とする請求項１記載の蓋の取付構造。
【発明の詳細な説明】
【技術分野】
【０００１】
本発明は、壁に掛けられる電子機器の壁に対向する背面板に設けられ、モジュラージャックやコネクタ等が配設された凹嵌部を覆う蓋の取付構造に関するものである。
【背景技術】
【０００２】
従来の蓋の取付構造としては、一面が開口した筺体と、この筺体の開口を覆う蓋とを備え、蓋の両側部に係合突起が設けられ、筺体の両側部に蓋の係合突起が係合する側面視Ｌ字状の係合溝が設けられたものがある。この蓋の取付構造においては、先ず蓋を筺体の厚み方向に移動させて係合突起を係合溝に係入させ、次に蓋を水平方向へ移動させることにより係合突起を係合溝に係合させて蓋を筺体に取り付けるようにしている（例えば、特許文献１参照）。
【特許文献１】特開平８−１８３５５２号公報（段落〔００１８〕、図２）
【発明の開示】
【発明が解決しようとする課題】
【０００３】
例えば、この種の電子機器においては、蓋が取り付けられた背面板を壁に対向させた状態で電子機器を壁に掛け、この状態で蓋に覆われた凹嵌部内のモジュラージャックやコネクタ等から引き出したケーブルを屋内等において配線する場合がある。この場合、壁と背面板との間に蓋を筺体の厚み方向に移動させるだけの充分な間隔を設けることができないことがあるから、上述した従来の蓋の取付構造においては、蓋の取付け作業が煩雑になったり、電子機器を壁に取り付けたままの状態では蓋が取り付けられないという問題があった。
【０００４】
本発明は上記した従来の問題に鑑みなされたものであり、その目的とするところは、電子機器を壁に掛けた状態で凹嵌部を閉塞するための蓋の取付け作業を容易にした蓋の取付構造を提供するところにある。
【課題を解決するための手段】
【０００５】
この目的を達成するために、請求項１に係る発明は、壁掛用支持手段および下方と後方とが開放された凹嵌部が設けられた背面板と、この背面板を囲むように背面板の周端から一体に立設された囲い壁とからなるケースを備え、前記凹嵌部を覆う蓋の取付構造であって、前記凹嵌部は、係入孔が設けられた上壁と、前記蓋を前記上壁に沿って移動自在に支持する互いに対向した第１支持部および第２支持部を有する側壁とを備え、前記蓋に、前記係入孔に係入される突起と前記凹嵌部の下方を閉塞する閉塞部とを設け、前記突起の一方の側面に第１のカム面を形成するとともに、前記突起の他方の側面に前記係入孔の端縁に係合する係合爪を設け、前記閉塞部にねじ挿通孔を設け、前記囲い壁の底部に前記ねじ挿通孔に挿通されたねじが螺合するねじ部を設けたものである。
【０００６】
請求項２に係る発明は、請求項１に係る発明において、前記囲い壁の前記ねじ部が設けられた部位に嵌合凹部を設け、前記閉塞部の前記ねじ挿通孔が設けられた部位に前記嵌合凹部に嵌合する膨出部を設け、この膨出部の一方の側面に第２のカム面を設けたものである。
【発明の効果】
【０００７】
請求項１に係る発明によれば、壁に沿わせて蓋を凹嵌部の背後下方から凹嵌部に挿入し、蓋の突起を凹嵌部の係入孔内に係入させることにより、突起の第１のカム面のカム作用により蓋が壁に沿って左右方向へ移動するため、突起の係合爪が係入孔の端縁に係合し、蓋の凹嵌部からの脱落が規制される。このため、囲い壁の底部に蓋の閉塞部をねじ止めする作業が容易になる。また、この蓋の取付け作業は、壁に沿わせて蓋を移動させるだけの作業であるため、ケースの背面板と壁との間に充分な隙間が設けられていない場合でも作業を行うことができる。このため、電子機器を実際に壁に設置した状態で、電子機器から引き出したケーブルの配線作業ができるから、配線作業が容易になり作業時間を短縮することができる。
【０００８】
請求項２に係る発明によれば、囲い壁の底部に蓋の閉塞部をねじ止めすると、同時に第２のカム面のカム作用によって突起の係合爪が係入孔の端縁に係合するため作業性が向上する。
【発明を実施するための最良の形態】
【０００９】
以下、本発明の実施の形態を図に基づいて説明する。図１は本発明に係る蓋の取付構造を実施した電子機器の背面側から視た斜視図、図２は同じく蓋を取り外した状態を示す電子機器の背面側から視た斜視図、図３（Ａ）は同じく蓋を正面側から視た斜視図、同図（Ｂ）は蓋を背面側から視た斜視図、図４（Ａ）は同じく蓋の背面図、同図（Ｂ）は同図（Ａ）におけるIV（Ｂ）部の拡大図、図５は同じく蓋の取付けを開始した状態を示す背面図である。
【００１０】
図６は本発明に係る蓋の取付構造において、蓋の突起が凹嵌部の係入孔に係入し始めた状態を示す背面図、図７は同じく突起の係合爪が係入孔の端縁に係合した状態を示す背面図、図８は図１におけるVIII-VIII 線断面図であって、同図（Ａ）は蓋の膨出部が電子機器の凹嵌部に嵌合し始めた状態を示し、同図（Ｂ）は蓋の膨出部が電子機器の凹嵌部に嵌合しねじによって蓋が電子機器に取り付けられた状態を示し、図９（Ａ）は同じく電子機器が壁に掛けられた状態を示す側面図、同図（Ｂ）は電子機器が壁に掛けられた状態で蓋を取り付けている状態を示す。
【００１１】
図１に全体を符号１で示す電子機器は、共に一面が開口し浅底状に形成されたリアーケース２およびフロントケース３によって構成され、これら両ケース２，３を互いの開口端縁を対接させて結合することにより筺体が形成される。リアーケース２は、背面板４と、この背面板４を囲むように背面板４の周端から一体に立設された囲い壁５とによって形成されている。
【００１２】
背面板４には、図２に示すように後方（図中矢印Ａ方向）と下方（図中矢印Ｄ方向）とが開放された平面視においてＬ字状に形成された凹嵌部６が設けられているとともに、矢印Ｅ−Ｆ方向の両側に一対の壁掛け用フック部７，７が設けられている。凹嵌部６は、係入孔８が設けられ矢印Ｃ方向に形成された上壁９と、後述する蓋２６を上壁９に沿わせて（矢印Ｅ−Ｆ方向）移動自在に支持する互いに対向した第１支持部１０，１１および第２支持部１２を有する側壁１３，１４，１５と、正面部１６とを備えている。第１支持部１０，１１および第２支持部１２は、側壁１３，１４，１５よりも矢印Ｂ方向に蓋の厚み分だけ低く形成されている。
【００１３】
１７は正面部１６に実装された電子部品、１８，１９は側壁１３，１４との間に設けられた壁２０に設けられたモジュラージャック、２１は正面部１６に実装された端子台、２２は正面部１６に実装された電源用ジャックである。上記した囲い壁５の一部を構成する矢印Ｄ方向に形成された底部２３の凹嵌部６に隣接した閉塞部固定用凹部２４は、蓋の閉塞部の厚み分だけ矢印Ｃ方向に位置付けられるように段状に形成されている。この閉塞部固定用凹部２４には、矢印Ｃ方向から視てＵ字状で矢印Ｃ方向に凹設された嵌合凹部２５が設けられており、この嵌合凹部２５の中央部にはねじ孔２５ａが設けられ、矢印Ｅ−Ｆ方向の端部２５ｂ，２５ｃは、図８（Ａ）に示すように断面が円弧状に形成されている。
【００１４】
図３において全体を符号２６で示す蓋は、上記した凹嵌部６の後方（矢印Ａ方向）を覆うＬ字状に形成された蓋本体２７と、この蓋本体２７の矢印Ｄ方向の端部に蓋本体２７と直交するように形成され、凹嵌部６の下方（矢印Ｄ方向）を閉塞する閉塞部２８とによって形成されている。蓋本体２７の矢印Ｃ方向の端部２７ａには、凹嵌部６の係入孔８に係入される突起２９が一体に突設されており、この突起２９の矢印Ｅ方向の側面には、矢印Ｃ方向、すなわち先端に向かって矢印Ｆ方向に傾斜した第１のカム面２９ａが設けられ、矢印Ｆ方向の側面には係合爪２９ｂが一体に突設されている。この突起２９は、後述するように係入孔８に係入されると、第１のカム面２９ａが係入孔８の矢印Ｅ方向の側面８ａに対接することにより、第１のカム面２９ａのカム作用で蓋２６が矢印Ｆ方向に移動し、係合爪２９ｂが係入孔８の矢印Ｆ方向の端縁８ｂに係合する。
【００１５】
閉塞部２８の矢印Ｅ方向の端部には矢印Ｅ方向に延設された延設部３０が設けられており、この延設部３０には、図８に示すように囲い壁５の底部２３に設けられた嵌合凹部２５に嵌合する膨出部３１が設けられている。この膨出部３１の中央部にはねじ挿通孔３１ａが設けられており、矢印Ｅ−Ｆ方向の端部３１ｂ，３１ｃは断面円弧状に形成され、一方の端部３１ｂは第２のカム面を形成している。この第２のカム面３１ｂは、後述するように突起２９が係入孔８に係入されると、嵌合凹部２５の矢印Ｅ方向の端部２５ｄに対接し、膨出部３１のねじ挿通孔３１ａに挿通されたねじ３２を、嵌合凹部２５のねじ孔２５ａに螺合させることにより、カム作用で蓋２６を矢印Ｆ方向に移動させる。
【００１６】
図４に示すように、蓋本体２７の矢印Ｅ方向の一方の側面２７ｂから矢印Ｆ方向の側面２７ｃまでの長さｌ１は、上記した凹嵌部６の側壁１３と側壁１５との間隔Ｌ１よりもわずかに小さく形成されている。また、蓋２７の矢印Ｅ方向の他方の側面２７ｄから側面２７ｃまでの長さｌ２は、凹嵌部６の側壁１４と側壁１５との間隔Ｌ２よりもわずかに小さく形成されている。すなわち、蓋２６は、後述するように突起２９が凹嵌部６の係入孔８に係入されたとき、第１の支持部１０，１１と第２の支持部１２によって、上壁９にそって（矢印Ｅ−Ｆ方向）にわずかの範囲において移動自在に支持される。
【００１７】
図３において、３３は閉塞部２８に破断可能に設けられた窓であって、この窓３３を閉塞部２８から除去することにより、凹嵌部６内に設けられたモジュラージャック１８，１９に電気的に接続されるケーブル（図示せず）を電子機器１の外部に導出することが可能になる。３４は閉塞部２８に破断可能に設けられた窓であって、この窓３４を閉塞部２８から除去することにより、凹嵌部６内に設けられた電源用ジャック２２に電気的に接続されるコード（図示せず）を電子機器１の外部に導出することが可能になる。３５は蓋本体２７に破断可能に設けられた窓であって、この窓３５を蓋本体２７から除去することにより、凹嵌部６内に設けられた端子台２１に電気的に接続されたコード（図示せず）を電子機器１の外部に導出することが可能になる。
【００１８】
次に、このように構成された蓋の取付構造において、蓋の取付方法について説明する。予め、図２に示すようにリアーケース２から蓋２６を取り外し、必要に応じてモジュラージャック１８，１９にケーブル（図示せず）を電気的に接続するとともに、電源用ジャック２２にコード（図示せず）を電気的に接続し、かつ端子台２１にコード（図示せず）を電気的に接続しておく。また、必要に応じて蓋２６から窓３３，３４，３５を除去しておく。
【００１９】
この状態としてから、蓋２６が取り外すされた電子機器１を、図９（Ａ）に示すように壁３６に掛け、図示を省略したケーブルやコードの配線作業を行う。配線作業が終了したら、図５および図９（Ｂ）に示すように、蓋２６を壁３６に沿わせて上方向（矢印Ｃ方向）に移動させて、蓋２６の蓋本体２７を凹嵌部６内に挿入する。蓋本体２７の両側部を第１および第２の支持部１１，１２に支持させるようにして、側面２７ｄを凹嵌部６の側壁１４に対接させながら上方に移動させると、図６に示すように蓋２６の突起２９が凹嵌部６の係入孔８内に係入され、突起２９の第１のカム面２９ａが凹嵌部６の側面８ａに対接する。
【００２０】
さらに、蓋２６を上方に移動させると、第１のカム面２９ａのカム作用によって蓋２６が第１および第２の支持部１１，１２に支持されながら、矢印Ｆ方向にわずかに移動し、突起２９の係合爪２９ｂが係入孔８の端縁８ｂにわずかに係合する。このとき、閉塞部２８の延設部３０に設けた膨出部３１が、図８（Ａ）に示すように閉塞部固定用凹部２４の嵌合凹部２５に対向し、膨出部３１の第２のカム面３１ｂが嵌合凹部２５の端部２５ｄに当接する。この状態で、ねじ３２を膨出部３１のねじ挿通孔３１ａに挿通させ、ねじ３２を嵌合凹部２５のねじ孔２５ａに螺合させることにより、閉塞部２８の延設部３０が、図８（Ｂ）に示すように閉塞部固定用凹部２４に取り付けられるとともに、蓋２６は第２のカム面３１ｂのカム作用で矢印Ｆ方向に移動して、図７に示すように突起２９の係合爪２９ｂが係入孔８の端縁８ｂに係合する。
【００２１】
このように、壁３６に掛けた状態の電子機器１に蓋２６を取り付けることができることにより、電子機器１を実際に壁３６に設置した状態で、ケーブルやコードの配線作業を行うことができるため、配線作業が容易になり作業短時間を短縮することができる。また、蓋２６の取付けを壁３６に沿わせて行えるようにしたことにより、壁３６と電子機器１の背面板４との間隔が充分にとれない場合であっても、蓋を容易に取り付けることができる。
【００２２】
また、蓋２６に設けた突起２９の係合爪２９ｂを凹嵌部６に設けた係入孔８の端縁８ｂに係合させた状態で、ねじ３２による蓋２６の電子機器１への締結作業を行うことができるため締結作業が容易になる。また、ねじ３２を嵌合凹部２５のねじ孔２５ａに螺合することにより、蓋２６の電子機器１への取付けと、第２のカム面３１ｂのカム作用による係合爪２９ｂの端縁８ｂへの係合とを、同時に行うことができるため作業性が向上する。
【００２３】
次に、このように蓋２６が取り付けられた電子機器１の保守点検を行う場合は、電子機器１を壁３６に掛けた状態で、ねじ３２による締結を解除し、蓋２６を一旦矢印Ｅ方向に移動させ、突起２９の係合爪２９ｂと係入孔８の端縁８ｂとの係合を解除する。次いで、蓋２６を下方（矢印Ｄ方向）に向かって壁３６に沿わせて移動させることにより、蓋２６を電子機器１から取り外す。この状態で、凹嵌部６の下方（矢印Ｄ方向）が開放されるから、この開放された部位からモジュラージャック１８，１９に電気的に接続されているケーブル（図示せず）の着脱を行って電子機器１の保守点検作業を行う。保守点検作業が終了したら、上述した方法で蓋２６を電子機器１に取り付ける。
【００２４】
このように、電子機器１を壁３６に掛けた状態で、蓋２６の取付け取り外しができることにより、保守点検作業時に電子機器１を壁３６から取り外す必要がないため作業性が向上する。
【図面の簡単な説明】
【００２５】
【図１】本発明に係る蓋の取付構造を実施した電子機器の背面側から視た斜視図である。
【図２】本発明に係る蓋の取付構造を実施した電子機器において、蓋を取り外した状態を示す電子機器の背面側から視た斜視図である。
【図３】同図（Ａ）は本発明に係る蓋の取付構造を実施した電子機器において、蓋を正面側から視た斜視図、同図（Ｂ）は蓋を背面側から視た斜視図である。
【図４】同図（Ａ）は本発明に係る蓋の取付構造を実施した電子機器における蓋の背面図、同図（Ｂ）は同図（Ａ）におけるIV（Ｂ）部の拡大図である。
【図５】本発明に係る蓋の取付構造を実施した電子機器において、蓋の取付けを開始した状態を示す背面図である。
【図６】本発明に係る蓋の取付構造において、蓋の突起が凹嵌部の係入孔に係入し始めた状態を示す背面図である。
【図７】本発明に係る蓋の取付構造において、突起の係合爪が係入孔の端縁に係合した状態を示す背面図である。
【図８】図１におけるVIII-VIII 線断面図であって、同図（Ａ）は蓋の膨出部が電子機器の凹嵌部に嵌合し始めた状態を示し、同図（Ｂ）は蓋の膨出部が電子機器の凹嵌部に嵌合しねじによって蓋が電子機器に取り付けられた状態を示す。
【図９】（Ａ）は同じく電子機器が壁に掛けられた状態を示す側面図、同図（Ｂ）は電子機器が壁に掛けられた状態で蓋を取り付けている状態を示す。
【符号の説明】
【００２６】
１…電子機器、２…リアーケース、４…背面板、５…囲い壁、６…凹嵌部、７…壁掛け用フック部、８…係入孔、８ｂ…端縁、９…上壁、１０，１１…第１の支持部、１２…第２の支持部、１３ないし１５…側壁、１８…モジュラージャック、２５…嵌合凹部、２５ａ…ねじ孔、２６…蓋、２８…閉塞部、２９…突起、２９ａ…第１のカム面、２９ｂ…係合爪、３１…膨出部、３１ａ…ねじ挿通孔、３１ｂ…第２のカム面、３２…ねじ、３６…壁。
【図１】
2008251909.tif 000003
【図２】
2008251909.tif 000004
【図３】
2008251909.tif 000005
【図４】
2008251909.tif 000006
【図５】
2008251909.tif 000007
【図６】
2008251909.tif 000008
【図７】
2008251909.tif 000009
【図８】
2008251909.tif 000010
【図９】
2008251909.tif 000011